(57)【要約】【課題】　使用者の好みに応じて色彩や絵柄などのデザインを自由に変更できる。【解決手段】　第１ケースと第２ケース２がヒンジ部３によって開閉可能に連結された電子辞書において、第２ケース２の外表面に装着される装飾用のカバー部材４を備え、第２ケース２に設けられた係止突起１１、１２とカバー部材４に設けられた係合部１３、１４とを係脱可能に係合させることにより、装飾用のカバー部材４を第２ケース２の外表面に着脱可能に装着した。従って、装飾用のカバー部材４を第２ケース２から自由に取り外して交換することができ、これにより使用者の好みに応じて色彩や絵柄などのデザインを自由に変更することができる。【選択図】　　　　図６
2004139558.tif 000002
【特許請求の範囲】
【請求項１】
　２つのケースがヒンジ部によって開閉可能に連結された電子機器において、
　前記２つのケースのうち、少なくとも一方のケースの外表面に装着される装飾用のカバー部材を備え、
　前記一方のケースに設けられた係止部と前記カバー部材に設けられた係合部とを係脱可能に係合させることにより、前記カバー部材を前記一方のケースの外表面に着脱可能に装着することを特徴とする電子機器。
【請求項２】
　前記係止部は、装飾性を有する形状に形成されていることを特徴する請求項１に記載の電子機器。
【請求項３】
　前記係止部は前記一方のケースにおける前記ヒンジ部と反対側に位置する先端側の側面および前記ヒンジ部側に位置する両側にそれぞれ設けられ、前記係合部は前記一方のケースの前記先端側および前記ヒンジ部側の両側に対応する前記カバー部材の先端側の側面および前記ヒンジ部側に位置する両側にそれぞれ設けられていることを特徴する請求項１または２に記載の電子機器。
【請求項４】
　前記係止部の一部は前記ヒンジ部側に位置する前記一方のケースの両側の各側面に設けられ、前記係合部の一部は前記ヒンジ部側に位置する前記カバー部材の両側の各側面に設けられ、前記係止部の一部と前記係合部の一部とのいずれか一方は、その両者の係脱方向に弾性変位するばね性を有していることを特徴とする請求項３に電子機器。
【請求項５】
　前記係止部の一部は前記ヒンジ部側に位置する前記一方のケースの両側に設けられ、前記係合部の一部は前記ヒンジ部側に位置する前記カバー部材の両側に設けられ、前記係止部の一部と前記係合部の一部とは互いに吸着する吸着部材であることを特徴とする請求項３に記載の電子機器。
【請求項６】
　前記係止部の一部は前記ヒンジ部側に位置する前記一方のケースの両側に設けられ、前記係合部の一部は前記ヒンジ部側に位置する前記カバー部材の両側に設けられ、前記係止部の一部と前記係合部の一部とは互いに係脱可能に係合し合う一対の面状ファスナであることを特徴とする請求項３に記載の電子機器。
【請求項７】
　前記一方のケースの外表面には装飾部が設けられ、前記カバー部材には前記一方のケースの前記装飾部に対応する開口部が設けられていることを特徴とする請求項１〜６のいずれかに記載の電子機器。
【請求項８】
　前記一方のケースの外表面には装飾部が設けられ、前記カバー部材には前記一方のケースの前記装飾部に対応する窓部が設けられていることを特徴とする請求項１〜６のいずれかに記載の電子機器。
【請求項９】
　前記装飾部には、記号や図形、模様などの装飾が施されていることを特徴とする請求項７または８に記載の電子機器。
【請求項１０】
　前記カバー部材は透明な合成樹脂で形成されていることを特徴する請求項１〜６のいずれかに記載の電子機器。
【請求項１１】
　前記係止部は前記一方のケースの前記先端側に位置する両側面と前記ヒンジ部側に位置する両側とにそれぞれ設けられ、前記係合部は前記カバー部材の前記先端側に位置する両側面と前記ヒンジ部側に位置する両側とにそれぞれ設けられ、前記一方のケースに設けられた前記先端側の両側面の前記係止部と前記カバー部材に設けられた前記先端側の両側面の前記係合部とが回動可能に係合することを特徴する請求項１〜１０のいずれかに記載の電子機器。
【請求項１２】
　前記一方のケースの外表面に対向する前記カバー部材の内面には、ミラーが設けられていることを特徴する請求項１１に記載の電子機器。
【請求項１３】
　２つのケースがヒンジ部によって開閉可能に連結された電子機器の前記２つのケースのうち、少なくとも一方のケースの外表面に装着されるカバー部材であって、
　前記一方のケースに設けられた係止部に係脱可能に係合する係合部を備え、この係合部を前記一方のケースの係止部に係合させることにより、前記一方のケースの外表面に着脱可能に装着されることを特徴とするカバー部材。
【請求項１４】
　前記一方のケースにおける外表面の一部に対応する装飾用の開口部が設けられていることを特徴とする請求項１３に記載のカバー部材。
【請求項１５】
　前記一方のケースにおける外表面の一部に対応する装飾用の窓部が設けられていることを特徴とする請求項１３に記載のカバー部材。
【請求項１６】
　前記一方のケースにおける外表面の前記一部は、記号や図形、模様などの装飾が施された装飾部に形成されていることを特徴とする請求項１４または１５に記載のカバー部材。
【請求項１７】
　互いに重なり合う２つのケースがヒンジ部によって開閉可能に連結された電子機器において、
　前記２つのケースのうち、少なくとも一方のケースに重なり合って前記一方のケースの外表面を覆った状態で装着されるほぼ平板状のカバー部材と、
　このカバー部材内に収納された機能増設用の電子部品と、
　前記一方のケースと前記カバー部材とを係脱可能に係合すると共に前記一方のケース内の電子回路と前記カバー部材内の電子回路とを電気的に接続して、前記カバー部材を前記一方のケースに着脱可能に取り付ける複数の接続連結部材と
　を備えたことを特徴とする電子機器。
【請求項１８】
　前記接続連結部材は、前記一方のケース内の前記電子回路と電気的に接続された状態で前記一方のケース内にその側面から出没可能に設けられた接続係止部と、前記カバー部材内の前記電子回路と電気的に接続された状態で前記カバー部材の側面に設けられて前記接続係止部が係脱可能に係合して電気的に接続する接続係合部とを備えていることを特徴とする請求項１７に記載の電子機器。
【請求項１９】
　前記一方のケースにおける前記ヒンジ部と反対側に位置する先端側の側面には係止部が設けられ、前記カバー部材における先端側の側面には前記係止部が係脱可能に係合する係合部が設けられていることを特徴とする請求項１７または１８に記載の電子機器。
【請求項２０】
　前記電子部品は、表示機能、テレビチューナ機能、スピーカ機能、電源機能、カメラ機能、プリンタ機能、スキャナ機能などの機能を構成する各種の部品のいずれかであることを特徴とする請求項１７に記載の電子機器。
【発明の詳細な説明】
【技術分野】
【０００１】
　この発明は、電子辞書、携帯電話機、携帯端末機などの電子機器およびそのカバー部材に関する。
【背景技術】
【０００２】
　従来、携帯電話機などの電子機器においては、操作キーを備えた第１ケースに表示部を備えた第２ケースをヒンジ部によって折り畳み可能に連結し、携帯するときに第１ケースと第２ケースとを重ね合わせてコンパクトにし、使用するときに第１ケースを手に持って第２ケースを開くように構成し、且つ第１ケースと第２ケースとを明瞭に区別するために、第１ケースと第２ケースとを異なる色で着色したものがある。
【０００３】
　しかしながら、このような電子機器では、第１ケースと第２ケースとが異なる色で着色されているので、暗い所でも第１ケースと第２ケースとを取り違えて持つことが少なくなり、これにより良好に使用することができるが、製品の出荷時にすでに第１ケースと第２ケースとが異なる色で着色されているため、使用者が自由に第１、第２ケースの色彩を変更することができないという不都合がある。特に、このような電子機器では、色彩のみが第１ケースと第２ケースとで異なるだけで、使用者の好みに応じて絵柄などのデザインを変更することができないという不都合もある。
【０００４】
　また、このような電子機器では、より一層の小型化を図るために、必要最小限の機能をのみ搭載してコンパクト化を図っているが、使用者の要望に応じて機能を増設する必要がある。このような要望に応えて機能の増設をする場合には、一般に、電子機器の第１、第２ケースの一方にコネクタ部を設け、このコネクタ部に接続ケーブルを接続し、この接続ケーブルを機能増設用の付属機器に接続して機能を増設している。しかし、このような電子機器の機能増設構造では、機器ケースと付属機器とを接続ケーブルで接続しているため、使用するときに電子機器と付属機器との両方をそれぞれ手に持って使用するか、あるいは電子機器と付属機器との少なくとも一方を卓上などの載置部に載置しなければ使用することができないため、使い勝手が悪いばかりか、携帯時に付属機器が邪魔になり、携帯性が悪いなどの不都合もある。
【特許文献１】特開平８−１８６４１号公報
【発明の開示】
【発明が解決しようとする課題】
【０００５】
　この発明が解決しようとする第１の問題点は、使用者の好みに応じて色彩や絵柄などのデザインを自由に変更できない点にある。
　また、第２の問題点は、簡単に機能を増設できないばかりか、機能を増設してもその増設用の付属機器が邪魔になり、携帯時および使用時のいずれにおいても、使い勝手が悪い点にある。
【課題を解決するための手段】
【０００６】
　この発明は、上記課題を解決するために、次のような構成要素を備えている。
　なお、各構成要素には、後述する各実施形態の項で説明される各要素に付されている図面の参照番号などを括弧と共に付す。
　請求項１に記載の発明は、図１〜図３９に示すように、２つのケース（第１ケース１、６０、第２ケース２、６１）がヒンジ部（３）によって開閉可能に連結された電子機器において、前記２つのケースのうち、少なくとも一方のケース（第２ケース２、６１）の外表面に装着される装飾用のカバー部材（４、５０、６２）を備え、前記一方のケースに設けられた係止部（係止突起１１、１２、５５、５６、係止部２０、３０、吸着面４１、磁性材４３、雌型の面状ファスナ４５）と前記カバー部材に設けられた係合部（１３、１４、５７、５８、吸盤４０、磁石４２、雄型の面状ファスナ４４）とを係脱可能に係合させることにより、前記カバー部材を前記一方のケースの外表面に着脱可能に装着することを特徴とする電子機器である。
【０００７】
　請求項２に記載の発明は、図１〜図６、図３０〜図３９に示すように、前記係止部（係止突起１１、１２、５５、５６）が装飾性を有する形状に形成されていることを特徴する請求項１に記載の電子機器である。
【０００８】
　請求項３に記載の発明は、図１〜図３９に示すように、前記係止部（係止突起１１、１２、５５、５６、係止部２０、３０、吸着面４１、磁性材４３、雌型の面状ファスナ４５）が前記一方のケース（第２ケース２、６１）における前記ヒンジ部（３）と反対側に位置する先端側の側面（２ｂ）および前記ヒンジ部側に位置する両側（各側面２ｃ、平面２ａの両側付近）にそれぞれ設けられ、前記係合部（１３、１４、５７、５８、吸盤４０、磁石４２、雄型の面状ファスナ４４）が前記一方のケースの前記先端側および前記ヒンジ部側の両側に対応する前記カバー部材（４、５０、６２）の先端側の側面（４ｂ）および前記ヒンジ部側に位置する両側（各側面４ｃ、平面部４ａの両側付近）にそれぞれ設けられていることを特徴する請求項１または２に記載の電子機器である。
【０００９】
　請求項４に記載の発明は、図１７〜図２０に示すように、前記係止部の一部（係止部２０、３０、３６）が前記ヒンジ部（３）側に位置する前記一方のケース（第２ケース２）の両側の各側面（２ｃ）に設けられ、前記係合部の一部（１４、３１、係合凸部３４、３５）が前記ヒンジ部側に位置する前記カバー部材（４）の両側の各側面（４ｃ）に設けられ、前記係止部の一部と前記係合部の一部とのいずれか一方が、その両者の係脱方向に弾性変位するばね性（コイルばね２３、アーム部３２）を有していることを特徴とする請求項３に電子機器である。
【００１０】
　請求項５に記載の発明は、図２３〜図２７に示すように、前記係止部の一部（吸着面４１、磁性材４３）が前記ヒンジ部（３）側に位置する前記一方のケース（第２ケース２）の両側（平面２ａの両側付近）に設けられ、前記係合部の一部（吸盤４０、磁石４２）が前記ヒンジ部側に位置する前記カバー部材（４）の両側（平面部４ａの両側付近）に設けられ、前記係止部の一部と前記係合部の一部とが互いに吸着する吸着部材（吸盤４０、吸着面４１、磁石４２、磁性材４３）であることを特徴とする請求項３に記載の電子機器である。
【００１１】
　請求項６に記載の発明は、図２８および図２９に示すように、前記係止部の一部（雌型の面状ファスナ４５）が前記ヒンジ部（３）側に位置する前記一方のケース（第２ケース２）の両側（平面２ａの両側付近）に設けられ、前記係合部の一部（雄型の面状ファスナ４４）が前記ヒンジ部側に位置する前記カバー部材（４）の両側（平面部４ａの両側付近）に設けられ、前記係止部の一部と前記係合部の一部とが互いに係脱可能に係合し合う一対の面状ファスナ（４４、４５）であることを特徴とする請求項３に記載の電子機器である。
【００１２】
　請求項７に記載の発明は、図７〜図１４に示すように、前記一方のケース（第２ケース２）の外表面に装飾部（２０１、２０５）が設けられ、前記カバー部材（４）に前記一方のケースの前記装飾部に対応する開口部（２０２、２０６）が設けられていることを特徴とする請求項１〜６のいずれかに記載の電子機器である。
【００１３】
　請求項８に記載の発明は、図１５および図１６に示すように、前記一方のケース（第２ケース２）の外表面に装飾部（２０７）が設けられ、前記カバー部材（４）に前記一方のケースの前記装飾部に対応する窓部（２０８）が設けられていることを特徴とする請求項１〜６のいずれかに記載の電子機器である。
【００１４】
　請求項９に記載の発明は、図７〜図１６に示すように、前記装飾部（２０１、２０５、２０７）に、記号や図形、模様などの装飾が施されていることを特徴とする請求項７または８に記載の電子機器である。
【００１５】
　請求項１０に記載の発明は、図３０〜図３２に示すように、前記カバー部材（５０）が透明な合成樹脂で形成されていることを特徴する請求項１〜６のいずれかに記載の電子機器である。
【００１６】
　請求項１１に記載の発明は、図３３〜図３５に示すように、前記係止部（係止突起５５、５６）が前記一方のケース（第２ケース２）の前記先端側に位置する両側面（２ｃ）と前記ヒンジ部（３）側に位置する両側（各側面２ｃ、平面２ａの両側付近）とにそれぞれ設けられ、前記係合部（５７、５８）が前記カバー部材（４）の前記先端側に位置する両側面（各側面４ｃ）と前記ヒンジ部側に位置する両側（各側面４ｃ、平面部４ａの両側付近）とにそれぞれ設けられ、前記一方のケースに設けられた前記先端側の両側面（各側面２ｃ）の前記係止部（５５）と前記カバー部材に設けられた前記先端側の両側面（各側面４ｃ）の前記係合部（５７）とが回動可能に係合することを特徴する請求項１〜１０のいずれかに記載の電子機器である。
【００１７】
　請求項１２に記載の発明は、図３３〜図３５に示すように、前記一方のケース（第２ケース２）の外表面に対向する前記カバー部材（４）の内面に、ミラー（５９）が設けられていることを特徴する請求項１１に記載の電子機器である。
【００１８】
　請求項１３に記載の発明は、図７〜図１６に示すように、２つのケース（第１、第２ケース１、２）がヒンジ部（３）によって開閉可能に連結された電子機器の前記２つのケースのうち、少なくとも一方のケース（第２ケース２）の外表面に装着されるカバー部材（４）であって、
　前記一方のケースに設けられた係止部（係止突起１１、１２）に係脱可能に係合する係合部（１３、１４）を備え、この係合部を前記一方のケースの係止部に係合させることにより、前記一方のケースの外表面に着脱可能に装着されることを特徴とするカバー部材である。
【００１９】
　請求項１４に記載の発明は、図７〜図１４に示すように、前記一方のケース（第２ケース２）における外表面の一部に対応する装飾用の開口部（２０２、２０６）が設けられていることを特徴とする請求項１３に記載のカバー部材である。
【００２０】
　請求項１５に記載の発明は、図１５および図１６に示すように、前記一方のケース（第２ケース２）における外表面の一部に対応する装飾用の窓部（２０８）が設けられていることを特徴とする請求項１３に記載のカバー部材である。
【００２１】
　請求項１６に記載の発明は、図７〜図１６に示すように、前記一方のケース（第２ケース２）における外表面の前記一部は、記号や図形、模様などの装飾が施された装飾部（２０１、２０５、２０７）に形成されていることを特徴とする請求項１４または１５に記載のカバー部材である。
【００２２】
　請求項１７に記載の発明は、図４０〜図４８に示すように、互いに重なり合う２つのケース（第１、第２ケース１０１、１０２）がヒンジ部（１０３）によって開閉可能に連結された電子機器において、前記２つのケースのうち、少なくとも一方のケース（第２ケース１０２）に重なり合って前記一方のケースの外表面を覆った状態で装着されるほぼ平板状のカバー部材（カバーケース１０４）と、このカバー部材内に収納された機能増設用の電子部品（補助表示部１１２、スピーカ１３６）と、前記一方のケースと前記カバー部材とを係脱可能に係合すると共に前記一方のケース内の電子回路と前記カバー部材内の電子回路とを電気的に接続して、前記カバー部材を前記一方のケースに着脱可能に取り付ける複数の接続連結部材（１５）とを備えたことを特徴とする電子機器である。
【００２３】
　請求項１８に記載の発明は、図４０〜図４６に示すように、前記接続連結部材（１５）が、前記一方のケース（第２ケース１０２）内の前記電子回路と電気的に接続された状態で前記一方のケース内にその側面（１０２ｃ）から出没可能に設けられた接続係止部（１１７）と、前記カバー部材（カバーケース１０４）内の前記電子回路と電気的に接続された状態で前記カバー部材の側面（側面部１０４ｃ）に設けられて前記接続係止部が係脱可能に係合して電気的に接続する接続係合部（１１８）とを備えていることを特徴とする請求項１７に記載の電子機器である。
【００２４】
　請求項１９に記載の発明は、図４０〜図４６に示すように、前記一方のケース（第２ケース１０２）における前記ヒンジ部（１０３）と反対側に位置する先端側の側面（１０２ｂ）には係止部（係止突起１２６）が設けられ、前記カバー部材（カバーケース１０４）における先端側の側面（側面部１０４ｂ）には前記係止部が係脱可能に係合する係合部（係合突起１２７）が設けられていることを特徴とする請求項１７または１８に記載の電子機器である。
【００２５】
　請求項２０に記載の発明は、前記電子部品が、表示機能、テレビチューナ機能、スピーカ機能、電源機能、カメラ機能、プリンタ機能、スキャナ機能などの機能を構成する各種の部品のいずれかであることを特徴とする請求項１７に記載の電子機器である。
【発明の効果】
【００２６】
　請求項１に記載の発明によれば、ヒンジ部によって開閉可能に連結された２つのケースのうち、少なくとも一方のケースの外表面に装着される装飾用のカバー部材に設けられた係合部とその一方のケースに設けられた係止部とを係脱可能に係合させて、カバー部材を一方のケースの外表面に着脱可能に装着しているので、装飾用のカバー部材を自由に取り外して交換することができ、これにより使用者の好みに応じて色彩や絵柄などのデザインを自由に変更することができる。
【００２７】
　請求項２に記載の発明によれば、一方のケースに設けられた係止部が装飾性を有する形状に形成されていることにより、カバー部材を一方のケースから取り外すと、この一方のケースに設けられた係止部が露呈し、この露出した係止部が装飾性を有する形状であるから、外観的にもデザイン的にも好ましいものを得ることができ、これによりカバー部材を取り外しても、製品として良好に使用することができる。
【００２８】
　請求項３に記載の発明によれば、係止部が一方のケースにおけるヒンジ部と反対側に位置する先端側の側面およびヒンジ部側に位置する両側にそれぞれ設けられ、係合部がカバー部材の先端側の側面およびヒンジ部側に位置する両側にそれぞれ設けられていることにより、一方のケースにカバー部材を装着した際に、その両者の先端側とその反対側のヒンジ部側に位置する両側との３か所で係止部と係合部とが係合するので、カバー部材を一方のケースに確実に且つ安定した状態で装着することができる。
【００２９】
　請求項４に記載の発明によれば、一方のケースの係止部とカバー部材の係合部とのいずれか一方がその両者の係脱方向に弾性変位するばね性を有しているので、そのばね力で係止部と係合部とを確実に係合させることができると共に、係止部と係合部との一方のばね力に抗して係止部と係合部との係合を解除することにより、簡単にカバー部材を一方のケースから取り外すことができ、これにより一方のケースに対するカバー部材の着脱作業性の向上を図ることができる。
【００３０】
　請求項５に記載の発明によれば、一方のケースに設けられた係止部の一部とカバー部材に設けられた係合部の一部とが互いに吸着する吸着部材であることにより、この吸着部材でカバー部材を一方のケースに吸着させて取り付けるので、請求項４に記載の発明と同様、カバー部材の着脱操作性の向上を図ることができるほか、特に吸着部材として吸盤や磁石などを用いてカバー部材に設ければ、カバー部材を一方のケースから取り外したときに、一方のケースに吸盤や磁石などの吸着部材が現れないので、カバー部材を取り外しても、外観的に好ましいものを得ることができる。
【００３１】
　請求項６に記載の発明によれば、一方のケースに設けられた係止部の一部とカバー部材に設けられた係合部の一部とが互いに係脱可能に係合し合う一対の面状ファスナであることにより、係止部の一部と係合部の一部とを互いに接触させるだけで、面状ファスナからなる係止部と係合部とが互いに係合し合うので、請求項５に記載の発明と同様、カバー部材の着脱操作性の向上を図ることができる。
【００３２】
　請求項７に記載の発明によれば、一方のケースの外表面に装飾部が設けられ、この一方のケースに装着されるカバー部材に開口部が装飾部に対応して設けられていることにより、カバー部材を一方のケースの外表面に装着すると、カバー部材の開口部がケースの装飾部に対応し、この開口部を通してケースの装飾部を見ることができるので、カバー部材の開口部によってアクセントとしての装飾効果を得ることができるほか、ケースの装飾部による装飾効果をも得ることができ、これにより装飾性の高いものを得ることができる。
【００３３】
　請求項８に記載の発明によれば、一方のケースの外表面に装飾部が設けられ、この一方のケースに装着されるカバー部材に窓部が装飾部に対応して設けられていることにより、カバー部材を一方のケースの外表面に装着すると、カバー部材の窓部がケースの装飾部に対応し、このカバー部材の窓部を通してケースの装飾部をカバー部材の外部から見ることができるので、請求項７に記載の発明と同様、カバー部材の窓部によってアクセントとしての装飾効果を得ることができるほか、ケースの装飾部による装飾効果をも得ることができるので、装飾性の高いものを得ることができる。
【００３４】
　請求項９に記載の発明によれば、カバー部材を一方のケースの外表面に装着しても、カバー部材の開口部または窓部を通して装飾部を外部から見ることができるため、装飾部に、記号や図形、模様などの装飾が施されていると、この装飾部によって、より一層、装飾効果を高めることができる。
【００３５】
　請求項１０に記載の発明によれば、カバー部材が透明な合成樹脂で形成されていることにより、カバー部材と一方のケースとの間に写真やカレンダなどの装飾シート（５１）を挟んで使用することができ、これにより使用者が独自の好みのもを得ることができ、パーソナリティの高いものを得ることができる。
【００３６】
　請求項１１に記載の発明によれば、一方のケースの係止部（５５、５６）とカバー部材の係合部（５７、５８）とをそれぞれ係合させることにより、カバー部材を一方のケースに着脱可能に取り付けることができるほか、特に一方のケースに設けられた先端側の両側面の係止部（５５）とカバー部材に設けられた先端側の両側面の係合部（５７）とが回動可能に係合していることにより、カバー部材を一方のケースに着脱可能に取り付け状態で、カバー部材のヒンジ部側の係合部（５８）を一方のケースのヒンジ部側の係止部（５６）から離脱させると、カバー部材の先端側の係合部（５７）と一方のケースの先端側の係止部（５５）とを中心にカバー部材をケースに対し回動させて開閉させることができる。
【００３７】
　請求項１２に記載の発明によれば、一方のケースの外表面に対向するカバー部材の内面にミラーを設けたことにより、請求項１２に記載の発明のごとく、カバー部材の先端側の係合部と一方のケースの先端側の係止部とを中心にカバー部材をケースに対し回動させて開くと、カバー部材の内面に設けられたミラーが露出するので、化粧用コンパクトのミラーとして使用することができ、これにより用途の広いものを得ることができる。
【００３８】
　請求項１３に記載の発明によれば、ヒンジ部によって開閉可能に連結された２つのケースのうち、少なくとも一方のケースの外表面に装着されるカバー部材に、一方のケースの係止部に係脱可能に係合する係合部を設け、このカバー部材の係合部を一方のケースの係止部に係合させることにより、カバー部材を一方のケースの外表面に着脱可能に装着するので、請求項１に記載の発明と同様、カバー部材を自由に取り外して交換することができ、これにより使用者の好みに応じてカバー部材による色彩や絵柄などのデザインを自由に変更することができる。
【００３９】
　請求項１４に記載の発明によれば、カバー部材に装飾用の開口部を一方のケースにおける外表面の一部に対応させて設けたことにより、カバー部材を一方のケースの外表面に装着すると、カバー部材の装飾用の開口部を通してケースの一部を見ることができるので、カバー部材の開口部によってアクセントとしての装飾効果を得ることができ、これにより装飾性の高いものを得ることができる。
【００４０】
　請求項１５に記載の発明によれば、カバー部材に装飾用の窓部を一方のケースにおける外表面の一部に対応させて設けたことにより、カバー部材を一方のケースの外表面に装着すると、カバー部材の装飾用の窓部を通してケースの一部を見ることができるので、カバー部材の窓部によってアクセントとしての装飾効果を得ることができ、これにより装飾性の高いものを得ることができる。
【００４１】
　請求項１６に記載の発明によれば、カバー部材の開口部または窓部が対応する一方のケースにおける外表面の一部が、記号や図形、模様などの装飾が施された装飾部に形成されていることにより、カバー部材を一方のケースの外表面に装着しても、カバー部材の開口部または窓部を通してケースの外表面の一部を外部から見ることができるため、ケースの一部が装飾部であることにより、この装飾部によって、より一層、装飾効果を高めることができる。
【００４２】
　請求項１７に記載の発明によれば、２つのケースのうち、少なくとも一方のケースの外表面を覆って機能増設用の電子部品を収納したほぼ平板状のカバー部材を重ね合わせ、この状態で複数の接続連結部材が一方のケースの電子回路とカバー部材の電子回路とを電気的に接続した状態で、一方のケースにカバー部材を着脱可能に取り付けるので、簡単に機能を増設することができると共に、カバー部材が一方のケースの側方に突出すことがなく、一方のケースにその外表面を覆って重なり合うので、機能を増設しても外観を損なうことなく機器全体がコンパクトになり、このため携帯時および使用時のいずれにおいても、カバー部材が邪魔にならず、使い勝手の良いものを得ることができる。
【００４３】
　請求項１８に記載の発明によれば、一方のケースの外表面を覆ってカバー部材を重ね合わせると、一方のケースの接続係止部がカバー部材の接続係合部に係脱可能に係合するので、一方のケースとカバー部材とを結合させることができると共に、これと同時に一方のケースの電子回路とカバー部材の電子回路とを電気的に接続することができ、しかも接続連結部材の接続係止部が一方のケース内にその側面から出没可能に設けられているので、一方のケースとカバー部材との着脱作業が容易にできるばかりか、接続連結部材を接続係止部と接続係合部とで構成したので、その構造が簡単で、部品点数も少なく、低コスト化をも図ることができる。
【００４４】
　請求項１９に記載の発明によれば、一方のケースにカバー部材を取り付けるときに、一方のケースの先端側に位置する係止部にカバー部材の先端側に位置する係合部を引っ掛けることにより、一方のケースに対しカバー部材を位置規制することができ、この状態でカバー部材を一方のケースに向けて回動させてカバー部材を一方のケースに重ね合わせることにより、一方のケースを覆った状態でカバー部材を装着することができるので、一方のケースに対するカバー部材の取付作業性の向上を図ることができる。
【００４５】
　請求項２０に記載の発明によれば、一方のケースに装着されるカバー部材を交換することにより、表示機能、テレビチューナ機能、スピーカ機能、電源機能、カメラ機能、プリンタ機能、スキャナ機能などの機能のうち、いずれかの機能を増設することができ、これにより使用者が所望する機能を増設することができるので、使い勝手の良いものを得ることができる。
【発明を実施するための最良の形態】
【００４６】
（第１実施形態）
　以下、図１〜図６を参照して、この発明を電子辞書に適用した第１実施形態について説明する。
　図１はこの発明の電子辞書の使用時における正面図、図２はその電子辞書の携帯時における一部破断した側面図、図３は図１の第２ケースのみを示した正面図、図４（ａ）は図２のカバー部材を下側から見た下面図、図４（ｂ）はそのＡ−Ａ矢視における拡大断面図である。この電子辞書は、図１および図２に示すように、互いに重なり合う第１、第２ケース１、２を備え、この第１ケース１と第２ケース２とがヒンジ部３によって開閉可能に連結され、第２ケース２の外表面に装飾用のカバー部材４が着脱可能に取り付けられた構造になっている。
【００４７】
　この場合、第１ケース１は、図１に示すように、横長のほぼ平板状に形成されており、その内部には、キーボード５が第２ケース２と対向する第１ケース１の対向面（同図では正面）に露出して設けられている。このキーボード５は、文字キー、カーソルキー、ファンクションキーなどの各種のキーを備えている。
　第２ケース２は、図１〜図３に示すように、第１ケース１とほぼ同じサイズの平板状に形成されており、その内部には、表示部６が設けられている。この表示部６は、液晶表示素子やＥＬ素子（エレクトロルミネッセンス素子）などの平面型の表示素子からなり、図１および図３に示すように、第１ケース１と対向する第２ケース２の対向面（図３では正面）に設けられた表示用の開口部７に対応して設けられている。
【００４８】
　ヒンジ部３は、図１に示すように、第１ケース１の上辺部（図２では左端部）にその両端部を除いて設けられた第１凸部８と、第２ケース２の下辺部（図２では左端部）の両側に設けられた第２凸部９とを備え、第１ケース１の第１凸部８を第２ケース２の第２凸部９間に配置した状態で、第１、第２凸部８、９を連結軸１０で回動可能に連結した構造になっている。この場合、第１ケース１と第２ケース２とは、ヒンジ部３を介してフレキシブル配線基板などの接続部材（図示せず）によって電気的に接続されている。
【００４９】
　一方、第２ケース２に装着されるカバー部材４は、図４（ａ）および図４（ｂ）に示すように、ステンレスなどの金属製の薄い板からなり、第２ケース２の平面（図２では上面）２ａ、第２ケース２におけるヒンジ部３と反対側に位置する先端側（図３では上辺側）の側面２ｂ、および第２ケース２の左右両側の側面２ｃを覆うように形成されている。すなわち、カバー部材４は、第２ケース２の平面２ａに配置される平面部４ａ、第２ケース２の先端側（図３では上辺側）の側面２ｂに配置される側面部４ｂ、第２ケース２の左右両側の側面２ｃに配置される両側の側面部４ｃによって構成されている。また、このカバー部材４は、その平面部４ａの外面に色彩や絵柄、図形、マークなどのデザイン（図示せず）が施されており、そのデザインの異なるものが複数用意されている。
【００５０】
　ところで、このカバー部材４が装着される第２ケース２におけるヒンジ部３と反対側に位置する先端側（図３では上辺側）の側面２ｂおよびその左右両側の側面２ｃには、図３に示すように、係止突起１１、１２がそれぞれ設けられている。この場合、第２ケース２の先端側の係止突起１１は、図５に示すように、先端部（同図では右端部）が半円形状に形成され、第２ケース２の先端側の側面２ｂにおける厚み方向および図３における左右方向の中間部分に位置し、且つその左右方向に沿って細長く形成されている。これにより、第２ケース２の先端側の係止突起１１は、第２ケース２のアクセントになるような装飾性を有する細長い帯状の凸形状に形成されている。
【００５１】
　また、第２ケース２の左右両側の係止突起１２は、図３に示すように、先端側の係止突起１１と同様、それぞれ半円形状に形成され、第２ケース２の左右両側の各側面２ｃにおけるヒンジ部３側（図３では下部側）に位置し、且つ第２ケース２の厚み方向の中間部分に位置して前後方向（図３では上下方向）に長い長方形状に形成されている。これにより、第２ケース２の左右両側の係止突起１２も、第２ケース２のアクセントになるような装飾性を有する長方形の凸形状に形成されている。
【００５２】
　また、カバー部材４における各側面部４ｂ、４ｃには、図４（ａ）および図４（ｂ）に示すように、第２ケース２の各係止突起１１、１２に係脱可能に係合する係合部１３、１４がそれぞれ形成されている。すなわち、第２ケース２の係止突起１１に係合する係合部１３は、図５に示すように、第２ケース２の係止突起１１を覆う半円形状の凸部の内側に係止突起１１が嵌合する凹部１３ａが形成された凸形状をなし、図４（ａ）に示すように、カバー部材４の上辺側の側面部４ｂの中間部分に左右方向に沿って細長く形成されている。また、第２ケース２の係止突起１２に係合する係合部１４は、図４（ａ）および図４（ｂ）に示すように、第２ケース２の係止突起１２が挿入する長方形状の長孔に形成されている。
【００５３】
　次に、このカバー部材４を第２ケース２に取り付ける場合について説明する。この場合には、図６に示すように、まず、カバー部材４の先端側の係合部１３を第２ケース２の先端側の係止突起１１に引っ掛ける。これにより、第２ケース２に対してカバー部材４が位置規制される。この状態で、第２ケース２の先端側の係止突起１１を中心にカバー部材４を第２ケース２に向けて回動させることにより、カバー部材４の平面部４ａを第２ケース２の平面２ａに配置させると共に、カバー部材４の左右の側面部４ｃを第２ケース２の左右の側面２ｃに配置させ、カバー部材４の側面部４ｃに設けられた長孔状の係合部１４に第２ケース２の係止突起１２を挿入して係合させる。
【００５４】
　これにより、図１および図２に示すように、カバー部材４が、第２ケース２の平面２ａ（図６では上面）、第２ケース２の先端側の側面２ｂ、および第２ケース２の左右両側の側面２ｃを覆った状態で第２ケース２に装着される。また、この状態でカバー部材４を第２ケース２から取り外す場合には、カバー部材４の側面部４ｃに設けられた長孔の係合部１４から第２ケース２の係止突起１２を離脱させ、第２ケース２の先端側の係止突起１１を中心にカバー部材４を第２ケース２から離れる方向に向けて回動させた後、第２ケース２の先端側の係止突起１１からカバー部材４の先端側の係合部１３を離脱させることにより、カバー部材４を第２ケース２から取り外すことができる。
【００５５】
　このような電子辞書では、第１ケース１と第２ケース２とをヒンジ部３を中心に回動させて開くと、図１に示すように、第１ケース１のキーボード５が露呈すると共に、第２ケース２の表示部６が開口部７を通して露呈するので、表示部６を見ながらキーボード５を操作して情報を入力することができると共に、入力された情報およびその情報に基づいて所望の情報を表示部６に表示させることができ、これにより良好に使用することができる。また、第１ケース１と第２ケース２とをヒンジ部３を中心に回動させて閉じると、図２に示すように、第１ケース１と第２ケース２とが互いに重なり合うので、コンパクトになり、これにより良好に携帯することができる。このときには、第２ケース２に装着されたカバー部材４によって装飾効果が得られる。
【００５６】
　このように、この電子辞書によれば、第１、第２ケース１、２のうち、少なくとも第２ケース２に設けられた係止突起１１、１２にカバー部材４の係合部１３、１４を係脱可能に係合させることにより、第２ケース２の外表面に装飾用のカバー部材４を着脱可能に装着することができるので、装飾用のカバー部材４を自由に取り外して交換することができ、これにより使用者の好みに応じて色彩や絵柄などのデザインを自由に変更することができる。この場合、カバー部材４を第２ケース２から取り外すと、第２ケース２に設けられた係止突起１１、１２が露呈するが、第２ケース２の係止突起１１、１２が装飾性を有する凸形状に形成されているので、外観的にもデザイン的にも好ましいものを得ることができ、このためカバー部材４を取り外しても、製品として良好に使用することができる。
【００５７】
　また、この電子辞書では、第２ケース２の係止突起１１、１２が第２ケース２におけるヒンジ部３と反対側に位置する先端側およびその両側の各側面２ｂ、２ｃにそれぞれ設けられ、カバー部材４の係合部１３、１４が第２ケース２の先端側およびその両側に対応するカバー部材４の先端側およびその両側の各側面部４ｂ、４ｃにそれぞれ設けられているので、カバー部材４を第２ケース２に装着した際に、その両者の先端側およびその両側の３か所で係止突起１１、１２と係合部１３、１４とを係合させることができ、これによりカバー部材４を第２ケース２に確実に且つ安定した状態で装着することができる。
【００５８】
（第２実施形態）
　次に、図７〜図１１を参照して、この発明を電子辞書に適用した第２実施形態について説明する。なお、図１〜図６に示された第１実施形態と同一部分には同一符号を付して説明する。
　この電子辞書は、図７〜図１０に示すように、カバー部材４が装着される第２ケース２の外表面に装飾部２０１を設け、図７および図８に示すように、カバー部材４に装飾用の開口部２０２を第２ケース２の装飾部２０１に対応させて設けた構造で、これ以外は第１実施形態と同じ構造になっている。この場合にも、第２ケース２の先端側の側面２ｂおよびヒンジ部３側における両側面２ｃには係止突起１１、１２が設けられており、カバー部材４の先端側の側面部４ｂおよびヒンジ部３側における両側面４ｃには、第２ケース２の係止突起１１、１２に係脱可能に係合する係合部１３、１４が設けられている。
【００５９】
　第２ケース２の装飾部２０１は、図９および図１０に示すように、長方形の両端を半円形状に形成した細長い形状の凸部であり、第２ケース２の外表面における中央部よりも少し手前側（図９では下側）に設けられている。この場合、装飾部２０１は、その表面に微細な線状凹部を形成した梨地処理が施されていると共に、記号や図形などのマーク部２０３が設けられた構成になっている。また、カバー部材４の開口部２０２は、図７および図１１に示すように、長方形の両端を半円形状に形成した細長い形状の孔であり、第２ケース２の外表面の装飾部２０１に対応し、且つ装飾部２０１の外形よりも少し大きく形成され、第２ケース２にカバー部材４が装着されたときに、図８に示すように、第２ケース２の装飾部２０１が挿入して外部に露出するように構成されている。
【００６０】
　このような電子辞書によれば、第１実施形態と同様の作用効果があるほか、特に第２ケース２の外表面に装飾部２０１が設けられ、カバー部材４に装飾用の開口部２０２が装飾部２０１に対応して設けられていることにより、カバー部材４を第２ケース２の外表面に装着すると、カバー部材４の開口部２０２が第２ケース２の装飾部２０１に対応し、この装飾部２０１が開口部２０２内に挿入してカバー部材４の外部に露出するので、このカバー部材４の開口部２０２を通して第２ケース２の装飾部２０１をカバー部材４の外部から見ることができる。このため、カバー部材４の開口部２０２によってアクセントとしての装飾効果を得ることができるほか、第２ケース２の装飾部２０１によっても装飾効果を得ることができ、これにより装飾性の高いものを得ることができる。この場合、装飾部２０１は、その表面に梨地処理が施されていると共に、記号や図形などのマーク部２０３が設けられているので、これらによって、より一層、装飾効果を高めることができる。
【００６１】
　なお、上記第２実施形態では、第２ケース２の外表面における中央部よりも少し手前側（図７では下側）に装飾部２０１を設け、カバー部材４に開口部２０２を装飾部２０１に対応させて設けたが、これに限らず、例えば図１２〜図１４に示す変形例のように、装飾部２０５を第２ケース２の外表面におけるヒンジ部３側の端部（図１２では上辺部分）に沿って設け、この装飾部２０５に対応する開口部２０６をカバー部材４のヒンジ部３側の端部（図１２では上辺部分）に沿って設けた構造でも良い。この場合にも、装飾部２０５は、全体が細長い形状で第２ケース２の外表面から突出した凸部に形成されており、開口部２０６は、カバー部材４の上辺部に細長い形状で形成された切欠き部であり、装飾部２０５よりも少し大きく形成され、第２ケース２にカバー部材４が装着されたときに、図１３に示すように、第２ケース２の装飾部２０５が挿入して外部に露出するように構成されている。このような構造でも、第２実施形態と同様の作用効果がある。
【００６２】
（第３実施形態）
　次に、図１５および図１６を参照して、この発明を電子辞書に適用した第３実施形態について説明する。この場合には、図７〜図１１に示された第２実施形態と同一部分に同一符号を付して説明する。
　この電子辞書は、図１５および図１６に示すように、カバー部材４が装着される第２ケース２の外表面に装飾部２０７を設け、カバー部材４に装飾用の透明な窓部２０８を第２ケース２の装飾部２０７に対応させて設けた構造で、これ以外は第２実施形態と同じ構造になっている。この場合にも、第２ケース２の先端側の側面２ｂおよびヒンジ部３側における両側面２ｃには係止突起１１、１２が設けられており、カバー部材４の先端側の側面部４ｂおよびヒンジ部３側における両側面４ｃには、第２ケース２の係止突起１１、１２に係脱可能に係合する係合部１３、１４が設けられている。
【００６３】
　第２ケース２の装飾部２０７は、長方形の両端を半円形状に形成した細長い形状の平面部であり、第２実施形態と同様、第２ケース２の外表面における中央部よりも少し手前側（図１５では下側）に設けられている。この場合にも、装飾部２０７は、その表面に微細な線状凹部を形成した梨地処理が施されていると共に、記号や図形などのマーク部２０３が設けられた構成になっている。また、カバー部材４の透明な窓部２０８は、長方形の両端を半円形状に形成した細長い形状の透明な部分であり、第２ケース２の外表面の装飾部２０７に対応して設けられ、第２ケース２にカバー部材４が装着されたときに、図１５に示すように、第２ケース２の装飾部２０７が対応するように構成されている。
【００６４】
　このような電子辞書においても、第１実施形態と同様の作用効果があるほか、特にカバー部材４を第２ケース２の外表面に装着すると、カバー部材４の透明な窓部２０８が第２ケース２の装飾部２０７に対応するので、このカバー部材４の窓部２０８を通して第２ケース２の装飾部２０７をカバー部材４の外部から見ることができる。このため、カバー部材４の窓部２０８によってアクセントとしての装飾効果を得ることができるほか、第２ケース２の装飾部２０７によっても装飾効果を得ることができ、これにより装飾性の高いものを得ることができる。この場合にも、装飾部２０７は、その表面に梨地処理が施されていると共に、記号や図形などのマーク部２０３が設けられているので、これらによって、より一層、装飾効果を高めることができる。
【００６５】
　なお、上記第３実施形態では、第２ケース２の外表面における中央部よりも少し手前側（図１５では下側）に装飾部２０７を設け、カバー部材４に透明な窓部２０８を装飾部２０７に対応させて設けたが、これに限らず、例えば図１２〜図１４に示した変形例と同様に、装飾部２０７を第２ケース２の外表面におけるヒンジ部３側の端部（図１２では上辺部分）に沿って設け、この装飾部２０７に対応する透明な窓部２０８をカバー部材４のヒンジ部３側の端部（図１２では上辺部分）に沿って設けた構造でも良い。このような構造でも、第３実施形態と同様の作用効果がある。
【００６６】
　また、上記第１〜第３実施形態およびその各変形例では、第２ケース２の先端側の側面２ｂおよびヒンジ部３側における両側面２ｃに係止突起１１、１２を設け、カバー部材４の先端側の側面部４ｂおよびヒンジ部３側における両側面４ｃに、第２ケース２の係止突起１１、１２に係脱可能に係合する係合部１３、１４を設けた場合について述べたが、これに限らず、例えば第２ケース２の先端側の側面２ｂに係止突起１１を設けると共に、この第２ケース２におけるヒンジ部３側に位置する外表面に係止凹部（図示せず）を装飾部２０１、２０５、２０７に対応する個所を除いて設け、またカバー部材４の先端側の側面部４ｂ第２ケース２の係止突起１１に係脱可能に係合する係合部１３を設けると共に、第２ケース２の外表面に対応するカバー部材４の内面に、第２ケース２の係止凹部に係脱可能に嵌合する係合凸部（図示せず）を設けた構造でも良い。
【００６７】
（第４実施形態）
　次に、図１７および図１８を参照して、この発明を電子辞書に適用した第４実施形態について説明する。なお、図１〜図６に示された第１実施形態と同一部分には同一符号を付して説明する。
　この電子辞書は、ヒンジ部３によって第１ケース１に回動可能に連結される第２ケース２の左右両側の各側面２ｃに出没可能な係止部２０を設け、この係止部２０にカバー部材４の左右両側の側面部４ｃに設けられた係合部１４を係脱可能に係合させる構造で、これ以外は第１実施形態と同じ構造になっている。この場合にも、第２ケース２の先端側の側面２ｂには係止突起１１が設けられており、カバー部材４の先端側の側面部４ｂには、第２ケース２の係止突起１１に係脱可能に係合する係合部１３が設けられている。
【００６８】
　すなわち、係止部２０は、図１８に示すように、第２ケース２の左右両側の各側面２ｃ（同図では一方の側面のみを示す）に設けられた収納部２１内に係止突起２２とコイルばね２３とを収納し、コイルばね２３のばね力によって係止突起２２が収納部２１内から外部に向けて出没するように構成されている。この場合、第２ケース２の側面２ｃには、係止突起２２が出没可能に挿入する挿入孔２４が収納部２１に連続して形成されている。また、収納部２１内に位置する係止突起２２の内側外周部には、挿入孔２４の内縁部に当接して係止突起２２が収納部２１から外部に抜け出すのを阻止する鍔部２２ａが設けられている。
【００６９】
　このような電子辞書では、第１実施形態と同様の作用効果があるほか、特に係止部２０の係止突起２２がコイルばね２３のばね力によって第２ケース２に出没可能に設けられているので、係止突起２２をコイルばね２３のばね力でカバー部材４の係合部１４に確実に係合させることができると共に、係止突起２２をコイルばね２３のばね力に抗して第２ケース２の挿入孔２４内に没入させることにより、カバー部材４の係合部１４を係止突起２２から簡単に離脱させることができ、これによりカバー部材４を第２ケース２から容易に取り外すことができるので、第２ケース２に対するカバー部材４の着脱作業性の向上を図ることができる。
【００７０】
（第５実施形態）
　次に、図１９および図２０を参照して、この発明を電子辞書に適用した第５実施形態について説明する。この場合にも、図１〜図６に示された第１実施形態と同一部分に同一符号を付して説明する。
　この電子辞書は、第２ケース２の左右両側の各側面２ｃに位置するヒンジ部３の第２凸部９に係止部３０をそれぞれ設け、これら係止部３０にカバー部材４の左右両側の各側面部４ｃから延設された各係合部３１をそれぞれ係脱可能に係合させる構造で、これ以外は第１実施形態と同じ構造になっている。この場合にも、第２ケース２の先端側の側面２ｂには係止突起１１が設けられており、カバー部材４の先端側の側面部４ｂには、第２ケース２の係止突起１１に係脱可能に係合する係合部１３が設けられている。
【００７１】
　すなわち、第２ケース２の左右両側の各側面２ｃに位置する各係止部３０は、図１９に示すように、ヒンジ部３の第２凸部９の外端面に半円弧状の凹溝に形成されている。また、カバー部材４の左右両側に位置する各係合部３１は、図１９および図２０に示すように、カバー部材４の左右両側の側面部４ｃからアーム部３２がそれぞれ第２ケース２の各側面２ｃに沿ってヒンジ部３側に延設され、これらアーム部３２の各先端部にヒンジ部３の第２凸部９の各外端面に対応する円板部３３がそれぞれ形成され、これら円板部３３の外周部分に第２ケース２の各係止部３０と係脱可能に係合する半円弧状の係合凸部３４がそれぞれ形成され、各側面部４ｃから延設された各アーム部３２が撓み変形することにより、ばね性を有するように構成されている。
【００７２】
　このような電子辞書では、第１実施形態と同様の作用効果があるほか、特にカバー部材４の左右両側に位置する各係合部３１が側面部４ｃから延設された各アーム部３２によってばね性を有しているので、カバー部材４を第２ケースに取り付けるときに、各アーム部３２を容易に押し広げて弾性変位させることができる。これにより、各アーム部３２の先端の円板部３３に設けられた半円弧状の係合凸部３４を第２ケース２のヒンジ部３における第２凸部９の外端面に設けられた半円弧状の係止部３０にそれぞれ係合させることができる。このため、アーム部３２を撓み変形させることにより、カバー部材４を第２ケース２に簡単に着脱することができるので、第４実施形態と同様、第２ケース２に対するカバー部材４の着脱作業性の向上を図ることができる。
【００７３】
　なお、上記第５実施形態では、カバー部材４の側面部４ｃから延設された各アーム部３２の先端の円板部３３に半円弧状の係合凸部３４を設け、この半円弧状の係合凸部３４を第２ケース２側に位置するヒンジ部３の第２凸部９の外端面に設けられた半円弧状の係止部３０に係合させるように構成したが、これに限らず、例えば図２１および図２２に示す変形例のように、カバー部材４の各アーム部３２の先端にそれぞれ設けられた円板部３３の互いに対向する対向面の中心部に円柱の係合凸部３５をそれぞれ設け、これら係合凸部３５を第２ケース２のヒンジ部３における第２凸部９の外端面の中心に設けられた円形凹部状の係止部３６にそれぞれ係脱可能に係合させるように構成しても良い。このように構成しても、第５実施形態と同様の作用効果がある。
【００７４】
（第６実施形態）
　次に、図２３〜図２５を参照して、この発明を電子辞書に適用した第６実施形態について説明する。この場合にも、図１〜図６に示された第１実施形態と同一部分に同一符号を付して説明する。
　この電子辞書は、カバー部材４の両側の側面部４ｃに設けられた係合部１４に代えて、カバー部材４の平面部４ａにおけるヒンジ部３側の両側付近に吸着機能を有する係合部として吸盤４０をそれぞれ設け、第２ケース２の平面２ａに係止部としての吸着面４１を設けた構造で、これ以外は第１実施形態とほぼ同じ構造になっている。この場合にも、第２ケース２の先端側の側面２ｂには係止突起１１が設けられており、カバー部材４の先端側の側面部４ｂには、第２ケース２の係止突起１１に係脱可能に係合する係合部１３が設けられている。
【００７５】
　すなわち、吸盤４０は、塩化ビニルなどの軟質合成樹脂からなり、図２５に示すように、ほぼ皿状に形成され、その皿状の底部がカバー部材４の平面部４ａの内面、つまり第２ケース２の平面２ａに対向する平面部４ａの対向面に取り付けられ、この状態で第２ケース２の平面２ａの吸着面４１に押し付けられると、弾性変形しながら内部の空気が排出されることにより、第２ケース２の吸着面４１に吸着するように構成されている。また、第２ケース２の吸着面４１は、第２ケース２の平面２ａを平坦面に形成することによって形成されている。
【００７６】
　このような電子辞書では、第１実施形態と同様の作用効果があるほか、特にカバー部材４におけるヒンジ部３側の両側に係合部として吸盤４０をそれぞれ設けたので、カバー部材４の先端側の係合部１３を第２ケース２の先端側の係止突起１１に引っ掛けた状態で、カバー部材４を第２ケース２の係止部である吸着面４１に押し付けることにより、吸盤４０が第２ケース２の平面２ａである吸着面４１に吸着する。これにより、カバー部材４を第２ケース２に装着することができるので、第４実施形態と同様、カバー部材４を第２ケース２に簡単に着脱することができ、第２ケース２に対するカバー部材４の着脱作業性の向上を図ることができる。また、この場合には、吸盤４０がカバー部材４に設けられているので、カバー部材４を第２ケース２から取り外したときに、第２ケース２に吸盤４０が存在しないため、カバー部材４を取り外しても、外観的に好ましいものを得ることができる。
【００７７】
（第７実施形態）
　次に、図２６および図２７を参照して、この発明を電子辞書に適用した第７実施形態について説明する。この場合には、図２３〜図２５に示された第６実施形態と同一部分に同一符号を付して説明する。
　この電子辞書は、第６実施形態の吸盤４０および吸着面４１に代えて、係合部である磁石４２をカバー部材４の平面部４ａにおけるヒンジ部３側の両側付近にそれぞれ設け、第２ケース２の平面２ａにおけるヒンジ部３側の両側付近に係止部である磁性材４３をカバー部材４の磁石４２に対応させて埋設した構造で、これ以外は第６実施形態と同じ構造になっている。この場合にも、第２ケース２の先端側の側面２ｂには係止突起１１が設けられており、カバー部材４の先端側の側面部４ｂには、第２ケース２の係止突起１１に係脱可能に係合する係合部１３が設けられている。
【００７８】
　このような電子辞書では、第１実施形態と同様の作用効果があるほか、特にカバー部材４の平面部４ａにおけるヒンジ部３側の両側付近に磁石４２をそれぞれ設け、これら磁石４２に対応する第２ケース２の平面２ａにおけるヒンジ部３側の両側付近に磁性材４３を埋設したので、カバー部材４の先端側の係合部１３を第２ケース２の先端側の係止突起１１に引っ掛けた状態で、カバー部材４を第２ケース２に向けて回動させることにより、磁石４２と磁性材４３とがその磁力で互いに引き合って吸着する。これにより、カバー部材４を第２ケース２に装着することができるので、第６実施形態と同様、カバー部材４を第２ケース２に簡単に着脱することができ、第２ケース２に対するカバー部材４の着脱作業性の向上を図ることができる。この場合、第２ケース２の平面２ａに磁性材４３が埋設されているので、カバー部材４を第２ケース２から取り外したときに、第２ケース２に磁性材４３が露出することがないため、カバー部材４を取り外しても、外観的に好ましいものを得ることができる。
【００７９】
　なお、上記第７実施形態では、カバー部材４に磁石４２を設け、第２ケース２に磁性材４３を埋設したが、これに限らず、例えば第２ケース２に磁石４２を埋設し、磁性材を含有するステンレスなどの金属でカバー部材４を形成した構造でも良い。このように構成すれば、第７実施形態と同様の作用効果があるほか、カバー部材４を第２ケース２から取り外しても、第２ケース２に磁石４２が露出しないため、外観的に好ましいものを得ることができると共に、カバー部材４に磁性材４３を設ける必要がないので、カバー部材４も外観的に好ましいものを得ることができる。
【００８０】
（第８実施形態）
　次に、図２８および図２９を参照して、この発明を電子辞書に適用した第８実施形態について説明する。この場合には、図２６および図２７に示された第７実施形態と同一部分に同一符号を付して説明する。
　この電子辞書は、第７実施形態の磁石４２および磁性材４３に代えて、カバー部材４の平面部４ａにおけるヒンジ部３側の両側付近に係合部として雄型の面状ファスナ４４をそれぞれ設け、第２ケース２の平面２ａにおけるヒンジ部３側の両側付近に係止部として雌型の面状ファスナ４５をカバー部材４の雄型の面状ファスナ４４に対応させて設けた構造で、これ以外は第７実施形態と同じ構造になっている。この場合にも、第２ケース２の先端側の側面２ｂには係止突起１１が設けられており、カバー部材４の先端側の側面部４ｂには、第２ケース２の係止突起１１に係脱可能に係合する係合部１３が設けられている。
【００８１】
　このような電子辞書では、第１実施形態と同様の作用効果があるほか、特にカバー部材４の平面部４ａにおけるヒンジ部３側の両側付近に雄型の面状ファスナ４４をそれぞれ設け、第２ケース２の平面２ａに雌型の面状ファスナ４５をカバー部材４の雄型の面状ファスナ４４に対応させて設けたので、カバー部材４の先端側の係合部１３を第２ケース２の先端側の係止突起１１に引っ掛けた状態で、カバー部材４を第２ケース２に押し付けることにより、カバー部材４の雄型の面状ファスナ４４と第２ケース２の雌型の面状ファスナ４５とが互いに係合し合い、これによりカバー部材４を第２ケース２に装着することができる。このため、第７実施形態と同様、カバー部材４を第２ケース２に簡単に着脱することができ、第２ケース２に対するカバー部材４の着脱作業性の向上を図ることができる。
【００８２】
（第９実施形態）
　次に、図３０〜図３２を参照して、この発明を電子辞書に適用した第９実施形態について説明する。この場合には、図１〜図６に示された第１実施形態と同一部分に同一符号を付して説明する。
　この電子辞書は、カバー部材５０を透明な合成樹脂で形成した構造で、これ以外は第１実施形態とほぼ同じ構造になっている。
【００８３】
　すなわち、このカバー部材５０は、ＰＣ（ポリカーボネート）やＡＢＳ樹脂などの透明な合成樹脂からなり、第１実施形態と同様、第２ケース２の平面２ａに配置される平面部５０ａ、第２ケース２の先端側（図３２では上辺側）の側面２ｂに配置される側面部５０ｂ、第２ケース２の左右両側の側面２ｃに配置される両側の側面部５０ｃで構成されている。この場合にも、カバー部材５０の各側面部５０ｂ、５０ｃには、図３０および図３１に示すように、第２ケース２の各係止突起１１、１２に係脱可能に係合する係合部１３、１４がそれぞれ形成されている。
【００８４】
　このような電子辞書によれば、第１実施形態と同様の作用効果があるほか、特にカバー部材５０が透明な合成樹脂であるから、カバー部材５０を第２ケース２に装着するときに、図３２に斜線で示すように、カバー部材５０と第２ケース２との間に写真やカレンダなどの装飾シート５１を挟むことができ、この状態で使用することができるため、使用者が独自の好みのもを得ることができ、これによりパーソナリティの高いものを得ることができる。
【００８５】
（第１０実施形態）
　次に、図３３〜図３５を参照して、この発明を電子辞書に適用した第１０実施形態について説明する。この場合にも、図１〜図６に示された第１実施形態と同一部分に同一符号を付して説明する。
　この電子辞書は、第２ケース２の両側の側面２ｃにおける先端側とヒンジ部３側とにそれぞれ係止突起５５、５６を設け、カバー部材４の両側の側面部４ｃにおける先端側とヒンジ部３側とにそれぞれ係合部５７、５８を設け、第２ケース２の先端側に位置する係止突起５５とカバー部材４の先端側に位置する係合部５７とを回動可能に係合させ、且つ図３５に示すようにカバー部材４の内面にミラー５９を設けた構造で、これ以外は第１実施形態と同じ構造になっている。
【００８６】
　すなわち、第２ケース２の両側の側面２ｃにおける先端側（図３３では右端部側）の係止突起５５は、図３４に示すように、ほぼ半球状に突出して形成されており、そのヒンジ部３側（図３３では左側）の係止突起５６は、第１実施形態と同様、長方形の凸形状に形成されている。この場合にも、先端側のほぼ半球状の係止突起５５とヒンジ部３側の凸形状の係止突起５６とは、それぞれ第２ケース２のアクセントになるような装飾性を有するように形成されている。また、カバー部材４の両側の側面部４ｃにおける先端側（図３３では右端部側）の係合部５７は、第２ケース２の係止突起５５が係脱可能に係合し、この状態で相対的に回動する中空のほぼ半球状に形成されており、そのヒンジ部３側（図３３では左上側）の係合部５８は、第１実施形態と同様、第２ケース２の係止突起５６が挿入する長方形の長孔に形成されている。ミラー５９は、図３５に示すように、第２ケース２の平面２ａに対向するカバー部材４の内面、つまりカバー部材４の平面部４ａの内面に設けられている。
【００８７】
　このような電子辞書では、第２ケース２の各係止突起５５、５６にカバー部材４の各係合部５７、５８をそれぞれ係脱可能に係合させることにより、カバー部材４を第２ケース２に着脱可能に装着することができるので、第１実施形態と同様の作用効果があるほか、特にカバー部材４のヒンジ部３側の係合部５８を第２ケース２のヒンジ部３側の係止突起５６から離脱させると、図３５に示すように、カバー部材４の先端側の係合部５７と第２ケース２の先端側の係止突起５５とを中心にカバー部材４を第２ケース２に対し回動させて開閉させることができる。このため、カバー部材４を第２ケース２に対し回動させて開くと、カバー部材４の内面に設けられたミラー５９が露出するので、化粧用コンパクトのミラーとして使用することができ、用途の広いものを得ることができる。
【００８８】
　なお、上記第１０実施形態では、第２ケース２のヒンジ部３側の係止部１２を凸形状に形成したが、これに限らず、例えば図１８に示した第４実施形態と同様、出没可能な係止部２０に形成しても良く、また図２３〜図２７に示した第４、第７実施形態と同様、カバー部材４に係合部として吸盤４０や磁石４２を設け、第２ケース２に吸着面４１や磁性材４３を設けてカバー部材４を第２ケース２に吸着させて装着するように構成しても良く、さらに図２８および図２９に示した第８実施形態のように一対の面状ファスナ４４、４５を用いてカバー部材４を第２ケース２に吸着させて装着するように構成しても良い。このようないずれの構成においても、第１０実施形態と同様の作用効果がある。
【００８９】
（第１１実施形態）
　次に、図３６〜図３９を参照して、この発明を携帯電話機に適用した第１１実施形態について説明する。この場合にも、図１〜図６に示された第１実施形態と同一部分に同一符号を付して説明する。
　この携帯電話機は、図３６および図３７に示すように、互いに重なり合う第１、第２ケース６０、６１を備え、この第１ケース６０と第２ケース６１とが第１実施形態と同じ構造のヒンジ部３によって開閉可能に連結され、第２ケース６１の外表面に装飾用のカバー部材６２が着脱可能に取り付けられた構造になっている。
【００９０】
　第１ケース６０は、図３６および図３７に示すように、縦長のほぼ平板状に形成されており、第２ケース６１と対向する第１ケース６０の対向面（図３７では上面）には、キーボード６３およびマイクロホン部６４が設けられている。このキーボード６３は、ダイヤルキー、カーソルキーなどの電話機能に必要な各種のキーを備え、図３６に示すように、第１ケース６０の対向面のほぼ全域に設けられている。また、マイクロホン部６４は、第１ケース６０の対向面の下辺部側に設けられている。
【００９１】
　第２ケース６１は、図３６および図３７に示すように、第１ケース６０とほぼ同じサイズの平板状に形成されており、第１ケース６０と対向する第２ケース６１の対向面（図３７では下面）には、表示部６５およびスピーカ部６６が設けられている。表示部６５は、第１実施形態と同じ平面型の表示素子からなり、図３６および図３７に示すように、第２ケース６１に設けられた表示用の開口部６７に対応して設けられている。スピーカ部６６は、第２ケース６１の対向面における上部側に設けられている。また、この第２ケース６１の先端部（図３６では上辺部）には、アンテナ６８が第２ケース６１内に出没可能に設けられている。
【００９２】
　カバー部材６２は、第１実施形態と同様、ステンレスなどの金属製の薄い板からなり、図３７に示すように、第２ケース６１の外表面（図３７では上面）、第２ケース６１におけるヒンジ部３と反対側に位置する先端側（図３６では上辺側）の側面、および第２ケース６１の左右両側の側面を覆うように形成されている。このカバー部材６２は、その外面に色彩や絵柄、図形、マークなどのデザインが施されており、そのデザインの異なるものが複数用意されている。この場合、第２ケース６１におけるヒンジ部３と反対側に位置する先端側（図３６では上辺側）の側面およびその左右両側の側面には、図３８に示すように、第２ケース６１のアクセントになるような装飾性を有する凸形状の係止突起１１、１２がそれぞれ設けられている。
【００９３】
　また、カバー部材６２における各側面部には、図３９に示すように、第２ケース６１の各係止突起１１、１２に係脱可能に係合する係合部１３、１４がそれぞれ形成されている。この場合にも、第２ケース６１の係止突起１１に係合する係合部１３は、第１実施形態と同様、第２ケース６１の係止突起１１を覆う半円形状の凸部の内側に係止突起１１が嵌合する凹部を形成した形状に形成されている。また、第２ケース６１の係止突起１２に係合する係合部１４は、第２ケース６１の係止突起１２が挿入する長方形状の長孔に形成されている。
【００９４】
　このような携帯電話機では、第１ケース６０と第２ケース６１とをヒンジ部３を中心に回動させて開くと、図３６に示すように、第１ケース６０のキーボード６３およびマイクロホン部６４が露呈すると共に、第２ケース６１の表示部６５およびスピーカ部６６が露呈するので、表示部６５を見ながらキーボード６３を操作してダイヤル操作をすることができ、これにより通話することができる。また、第１ケース６０と第２ケース６１とをヒンジ部３を中心に回動させて閉じると、図３７に示すように、第１ケース６０と第２ケース６１とが互いに重なり合うので、コンパクトになり、これにより良好に携帯することができる。このときには、第２ケース６１に装着されたカバー部材６２によって装飾効果を得ることができる。
【００９５】
　このように、この携帯電話機によれば、第１実施形態と同様、第１、第２ケース６０、６１のうち、少なくとも第２ケース６１に設けられた係止突起１１、１２にカバー部材６２の係合部１３、１４を係脱可能に係合させることにより、第２ケース６１の外表面に装飾用のカバー部材６２を着脱可能に装着することができるので、装飾用のカバー部材６２を自由に取り外して交換することができ、これにより使用者の好みに応じて色彩や絵柄などのデザインを自由に変更することができる。この場合にも、カバー部材６２を第２ケース６１から取り外すと、第２ケース６１に設けられた係止突起１１、１２が露呈するが、第２ケース６１の係止突起１１、１２が装飾性を有する凸形状に形成されているので、外観的にもデザイン的にも好ましいものを得ることができ、このためカバー部材６２を取り外しても、製品として良好に使用することができる。
【００９６】
　また、この携帯電話機でも、第２ケース６１の係止突起１１、１２が第２ケース６１におけるヒンジ部３と反対側に位置する先端側およびその両側の各側面にそれぞれ設けられ、カバー部材６２の係合部１３、１４が第２ケース６１の先端側およびその両側に対応するカバー部材６２の先端側およびその両側の各側面にそれぞれ設けられているので、第１実施形態と同様、係止突起１１、１２と係合部１３、１４とが第２ケース６１とカバー部材６２との両者の先端側およびその両側の３か所で係合し、これによりカバー部材６２が第２ケース６１に装着されるため、カバー部材６２を第２ケース６１に確実に且つ安定した状態で装着することができる。
【００９７】
　なお、上記第１１実施形態では、第２ケース６１の先端側の側面およびその両側の各側面に係止突起１１、１２を設け、カバー部材６２の先端側の側面部およびその両側の各側面部に係合部１３、１４を設け、これら係止突起１１、１２と係合部１３、１４とを係脱可能に係合させてカバー部材６２を第２ケース６１に着脱可能に装着するように構成したが、これに限らず、第２ケース６１にカバー部材６２を着脱可能に装着する手段として、第２〜第１０実施形態と同様の構造のものを採用しても良い。
【００９８】
　また、上記第１〜第１１実施形態では、ヒンジ部３によって開閉可能に連結された第１、第２ケース１、２または６０、６１のうち、第２ケース２または６１の外表面にカバー部材４または６２を着脱可能に装着したが、必ずしも第２ケース２、６１にカバー部材４、６２を装着する必要はなく、第１ケース１、６０の外表面にカバー部材４、６２を着脱可能に装着しても良く、また第１、第２ケース１、２または６０、６１の両者の各外表面にそれぞれカバー部材４、６２を着脱可能に装着しても良い。
　さらに、上記第１〜第１０実施形態では電子辞書に適用し、第１１実施形態では携帯電話機に適用した場合について述べたが、これに限らず、電子手帳などのＰＤＡ（パーソナル・デジタル・アシスタント）や、モバイルなどの電子機器にも広く適用することができる。
【００９９】
（第１２実施形態）
　以下、図４０〜図４６を参照して、この発明を電子辞書に適用した第１２実施形態について説明する。
　図４０はこの発明の電子辞書を開いて使用するときの正面図、図４１はその電子辞書を閉じて携帯するときの一部破断した側面図、図４２は図４０の第２ケースのみを示した正面図、図４３は図４１のカバーケースを上側から見た正面図、図４４は図４３のＣ−Ｃ矢視における要部の拡大断面図、図４５は図４３のＤ−Ｄ矢視における要部の拡大断面図、図４６は図４２の第２ケースにカバーケースを装着するときの状態を示した側面図である。
【０１００】
　この電子辞書は、図４０および図４１に示すように、互いに重なり合う第１ケース１０１と第２ケース１０２とを備え、この第１ケース１０１と第２ケース１０２とがヒンジ部１０３によって開閉可能に連結され、第２ケース１０２の外表面に機能増設用のカバーケース１０４が着脱可能に取り付けられた構造になっている。この場合、第１ケース１０１は、図４０に示すように、横長のほぼ平板状に形成されており、その内部には、キーボード１０５が第２ケース１０２と対向する第１ケース１０１の対向面（同図では正面）に露出して設けられている。このキーボード１０５は、文字キー、カーソルキー、ファンクションキーなどの辞書機能に必要な各種のキーを備えている。
【０１０１】
　第２ケース１０２は、図４０〜図４２に示すように、第１ケース１０１とほぼ同じサイズの平板状に形成されており、その内部には表示部１０６が設けられている。この表示部１０６は、辞書データなどの情報を電気光学的に表示するものであり、液晶表示素子やＥＬ素子（エレクトロルミネッセンス素子）などの平面型の表示素子からなり、図４０および図４２に示すように、第１ケース１０１と対向する第２ケース１０２の対向面（図４２では正面）に設けられた表示用の開口部１０７に対応して設けられ、この開口部１０７を通して表示された情報が見えるように構成されている。
【０１０２】
　ヒンジ部１０３は、図４０に示すように、第１ケース１０１の上辺部（図４１では左端部）にその両端部を除いて設けられた第１凸部１０８と、第２ケース１０２の下辺部（図４１では左端部）の両端部分に設けられた第２凸部１０９とを備え、第１ケース１０１の第１凸部１０８を第２ケース１０２の第２凸部１０９間に配置した状態で、第１、第２凸部１０８、１０９を連結軸１１０で回動可能に連結した構造になっている。この場合、第１ケース１０１と第２ケース１０２とは、ヒンジ部１０３を介してフレキシブル配線基板などの接続部材（図示せず）によって電気的に接続されている。
【０１０３】
　一方、第２ケース１０２に装着されるカバーケース１０４は、図４３および図４４に示すように、ステンレスなどの金属や合成樹脂などからなるほぼ平板状の箱形に形成され、第２ケース１０２の平面（図２では上面）１０２ａ、第２ケース１０２におけるヒンジ部１０３と反対側に位置する先端側（図４２では上辺側）の側面１０ｂ、および第２ケース１０２の左右両側の側面１０２ｃを覆って第２ケース１０２に装着されるように構成されている。すなわち、このカバーケース１０４は、図４３に示すように、第２ケース１０２の平面１０２ａに配置される平板状のケース部１０４ａを有し、このケース部１０４ａの外周部に、第２ケース１０２の先端側（図４２では上辺側）の側面１０２ｂに配置される側面部１０ｂ、および第２ケース１０２の左右両側の側面１０２ｃに配置される両側の側面部１０４ｃがそれぞれ形成された構造になっている。
【０１０４】
　また、このカバーケース１０４は、図４３および図４４に示すように、増設用の機能として補助表示機能を有するものであり、その内部に回路基板１１１および補助表示部１１２を収納した構造になっている。回路基板１１１は、補助表示機能に必要な電子回路が搭載されている。また、補助表示部１１２は、時刻や日付などの補助的な情報を電気光学的に表示するものであり、第２ケース１０２の表示部１０６と同様、液晶表示素子やＥＬ素子（エレクトロルミネッセンス素子）などの平面型の表示素子からなり、回路基板１１１に電気的に接続された状態で、カバーケース１０４の外表面に設けられた表示用の開口部１１３に対応して設けられ、この開口部１１３を通して表示された情報が見えるように構成されている。また、カバーケース１０４の外表面には、図４３に示すように、補助表示部１１２の表示情報や表示状態を選択するための複数の操作釦１１４が設けられている。
【０１０５】
　ところで、カバーケース１０４と第２ケース１０２とは、複数の接続連結部材１１５によって着脱可能に取り付けられるように構成されている。すなわち、これら接続連結部材１１５は、第２ケース１０２内に設けられた回路回路基板１１６に電気的に接続された状態で第２ケース１０２内にその左右両側の各側面１０２ｃから出没可能に設けられた複数の接続係止部１１７と、第２ケース１０２の左右両側の各側面１０２ｃに対応するカバーケース１０４の左右両側の各側面部１０４ｃに設けられて複数の接続係止部１１７がそれぞれ係脱可能に係合して電気的に接続される複数の接続係合部１１８とを備え、第２ケース１０２の接続係止部１１７とカバーケース１０４の接続係合部１１８とが係脱可能に係合することにより、カバーケース１０４内の回路基板１１１と第２ケース１０２内の回路基板１１６とを電気的に接続して、カバーケース１０４と第２ケース１０２とを着脱可能に取り付けるように構成されている。
【０１０６】
　この場合、第２ケース１０２内の接続係止部１１７は、図４４に示すように、第２ケース１０２の左右両側の側面１０２ｃの近傍に位置する回路基板１１６の端部上の電極（図示せず）に半田１１９ａで固定された固定端子部１１９と、この固定端子部１１９の先端部に設けられた円筒部１２０と、この円筒部１２０内に収納されたばね部材１２１と、円筒部１２０内に一端部が挿入されて他端部が第２ケース１０２の側面１０２ｃに設けられた貫通孔１２２に出没可能に挿入された可動端子部１２３とを備え、この可動端子部１２３がばね部材１２１のばね力によって貫通孔１２２から突出する方向に向けて付勢されるように構成されている。この場合、可動端子部１２３は、第２ケース１０２の側面１０２ｃの貫通孔１２２から突出しても、第２ケース１０２の外観を損なわないように構成されている。
【０１０７】
　また、カバーケース１０４内の接続係合部１１８は、図４４に示すように、カバーケース１０４の左右両側の側面１０４ｃに設けられて接続係止部１１７の可動端子部１２３が係脱可能に係合する係合凹部１２４と、この係合凹部１２４の内面からカバーケース１０４内の回路基板１１１に亘って連続する配線リード１２５とを備え、この配線リード１２５がカバーケース４の内面に固定された状態でその一端部が回路基板１１１の電極（図示せず）に半田１２５ａで固定されて接続されている。これにより、接続連結部材１１５は、第２ケース１０２の可動端子部１２３がばね部材１２１のばね力によってカバーケース１０４の係合凹部１２４に係合することにより、カバーケース１０４を第２ケース１０２に着脱可能に取り付けると共に、これと同時に可動端子部１２３と配線リード１２５とが接触し、カバーケース１０４内の回路基板１１１と第２ケース１０２内の回路基板１１６とを電気的に接続するように構成されている。
【０１０８】
　一方、第２ケース１０２におけるヒンジ部１０３と反対側に位置する先端側（図４２では上辺側）の側面１０２ｂには、図４５に示すように、係止突起１２６が設けられている。この係止突起１２６は、先端部が半円形状に形成され、第２ケース１０２の先端側の側面１０２ｂの厚み方向および左右方向の中間部分に位置し、且つその側面１０２ｂの沿って細長く形成されている。これにより、係止突起１２６は、第２ケース１０２のアクセントになるような装飾性を有する細長い帯状の凸形状に形成されている。
　また、カバーケース１０４におけるヒンジ部１０３と反対側に位置する先端側（図４３では上辺側）の側面部１０４ｂには、図４５に示すように、係合突起１２７が設けられている。この係合突起１２７は、第２ケース１０２の係止突起１２６を覆う半円形状の凸部の内側に係止突起１２６が嵌合する凹部１２７ａが形成された凸形状をなし、カバーケース１０４の上辺側の側面部１０４ｂの中間部分に左右方向に沿って細長く形成されている。
【０１０９】
　次に、カバーケース１０４を第２ケース１０２に取り付ける場合について説明する。この場合には、図４６に示すように、まず、カバーケース１０４の先端側の側面部１０４ｂに設けられた係合突起１２７を第２ケース１０２の先端側の側面１０２ｂに設けられた係止突起１２６に対応させ、この状態で係止突起１２６を係合突起１２７の凹部１２７ａに挿入させて引っ掛ける。これにより、第２ケース１０２に対してカバーケース１０４が位置規制される。この状態で、第２ケース１０２の先端側の係止突起１２６を中心にカバーケース１０４を第２ケース１０２に向けて回動させると、図４１に示すように、カバーケース１０４の平面状のケース部１０４ａが第２ケース１０２の平面１０２ａに配置されると共に、カバーケース１０４の左右の側面部１０４ｃが第２ケース１０２の左右の側面１０２ｃに配置され、カバーケース１０４の接続係合部１１８に第２ケース１０２の接続係止部１２５が係合する。
【０１１０】
　このときには、図４４に示すように、第２ケース１０２の接続係止部１１７の可動端子部１２３がカバーケース１０４の側面部１０４ｃの内面に当接するが、可動端子部１２３がばね部材１２１のばね力に抗して第２ケース１０２内に向けて没入するので、可動端子部１２３の先端がカバーケース１０４の側面部１０４ｃに沿って相対的に摺動する。そして、可動端子部１２３の先端がカバーケース１０４の接続係合部１１８の係合凹部１２４に対応すると、ばね部材１２１のばね力で可動端子部１２３が押し出されて接続係合部１１８の係合凹部１２４に係合する。これにより、図４４に示すように、接続係止部１１７の可動端子部１２３が接続係合部１１８の配線リード１２５に接触して、カバーケース１０４内の回路基板１１１と第２ケース１０２内の回路基板１１６とが電気的に接続される。この状態では、図４０および図４１に示すように、カバーケース１０４が、第２ケース１０２の平面１０２ａ（図４５では上面）、第２ケース１０２の先端側の側面１０２ｂ、および第２ケース１０２の左右両側の側面１０２ｃを覆った状態で第２ケース１０２に着脱可能に装着される。
【０１１１】
　また、カバーケース１０４を第２ケース１０２から取り外す場合には、図４４に示す状態で、カバーケース１０４を接続係止部１１７のばね部材１２１のばね力に抗して第２ケース１０２から離脱する方向に押し上げると、接続係止部１１７の可動端子部１２３がばね部材１２１のばね力に抗してカバーケース１０４の側面部１０４ｃに設けられた接続係合部１１８の係合凹部１２４から離脱する。この状態で、第２ケース１０２の先端側の係止突起１２６を中心にカバーケース１０４を第２ケース１０２から離れる方向に向けて回動させると、図４６に示すように、カバーケース１０４が第２ケース１０２に対して角度を持って開く。この後、第２ケース１０２の先端側の係止突起１２６からカバーケース１０４の先端側の係合突起１２７を離脱させることにより、カバーケース１０４を第２ケース１０２から取り外すことができる。
【０１１２】
　このような電子辞書では、図４１に示すように、カバーケース１０４を第２ケース１０２に装着した状態で、第１ケース１０１と第２ケース１０２とをヒンジ部１０３を中心に回動させて閉じると、第１ケース１０１と第２ケース１０２とが互いに重なり合うので、コンパクトになり、これにより良好に携帯することができる。この場合には、カバーケース１０４が、第２ケース１０２の平面１０２ａ（図４５では上面）、第２ケース１０２の先端側の側面１０２ｂ、および第２ケース１０２の左右両側の側面１０２ｃを覆った状態で、第２ケース１０２に重なり合って装着されているので、カバーケース１０４が第２ケース１０２の側方に突出すことがない。このため、カバーケース１０４を第２ケース１０２に装着して機能を増設しても、機器全体がコンパクトになり、カバーケース１０４が邪魔にならずに良好に携帯することができる。
【０１１３】
　また、この電子辞書を使用するときには、図４０に示すように、第１ケース１０１と第２ケース１０２とをヒンジ部１０３を中心に回動させて開くと、第１ケース１０１のキーボード１０５が露呈すると共に、第２ケース１０２の表示部１０６が開口部１０７を通して露呈するので、表示部１０６を見ながらキーボード１０５を操作して情報を入力することができると共に、入力された情報およびその情報に基づいて所望する辞書データなどの情報を表示部１０６に表示させることができ、これにより良好に使用することができる。この場合にも、カバーケース１０４が第２ケース１０２の外表面を覆った状態で第２ケース１０２に重なり合って装着されているので、カバーケース１０４が第２ケース１０２の側方に突出すことがなく、このためカバーケース１０４が邪魔にならずに良好に使用することができる。
【０１１４】
　さらに、この電子辞書では、携帯するときでも使用するときでも、第２ケース１０２に装着されたカバーケース１０４に増設された機能を使用することができる。すなわち、カバーケース１０４を第２ケース１０２に装着すると、第２ケース１０２に設けられた接続係止部１１７の可動端子部１２３とカバーケース１０４に設けられた接続係合部１１８の配線リード１２５とが接触して、カバーケース４内の回路基板１１１と第２ケース１０２内の回路基板１１６とが電気的に接続されるので、カバーケース１０４に設けられた複数の操作釦１１４を操作することにより、カバーケース１０４の補助表示部１１２に時刻や日付などの補助情報を表示させて見ることができる。
【０１１５】
　このように、この電子辞書によれば、第１、第２ケース１０１、１０２のうち、第２ケース１０２に設けられた接続係止部１１７と係止突起１２６とをカバーケース１０４の接続係合部１１８と係合突起１２７とに係脱可能に係合させることにより、第２ケース１０２の外表面に機能増設用のカバーケース１０４を重ね合わせた状態で着脱可能に装着することができるので、簡単に機能を増設することができると共に、機能を増設しても外観を損なうことなく機器全体をコンパクトにすることができる。このため、携帯時および使用時のいずれにおいても、機能増設用のカバーケース１０４が邪魔にならず、使い勝手の良いものを得ることができる。
【０１１６】
　この場合、第２ケース１０２にカバーケース１０４を取り付けるときに、第２ケース１０２の先端側の係止突起１２６にカバーケース１０４の先端側の係合突起１２７を引っ掛けることにより、第２ケース１０２に対しカバーケース１０４を位置規制することができ、この状態でカバーケース１０４を第２ケース１０２に向けて回動させるだけで、カバーケース１０４を第２ケース１０２に重ね合わせて装着することができるので、第２ケース１０２に対するカバーケース１０４の取付作業性が良い。このときには、カバーケース１０４と第２ケース１０２との両者の先端側およびその両側の３か所において、係止突起１２６と係合突起１２７、および複数の接続係止部１１７と複数の接続係合部１１８がそれぞれ係合するので、カバーケース１０４を第２ケース１０２に確実に且つ安定した状態で装着することができる。
【０１１７】
　また、この電子辞書では、第２ケース１０２からカバーケース１０４を取り外したときに、第２ケース１０２に設けられた接続係止部の可動端子部１２３が第２ケース１０２の側面１０２ｃから突出しても第２ケース１０２の外観を損なうことがなく、また第２ケース１０２の先端側の係止突起１２６が第２ケース１０２のアクセントになるような装飾性を有しているので、カバーケース１０４を取り外しても、第１、第２ケース１０１、１０２を製品として良好に使用することができる。
【０１１８】
（第１３実施形態）
　次に、図４７および図４８を参照して、この発明を電子辞書に適用した第１３実施形態について説明する。この場合にも、図４０〜図４６に示された第１２実施形態と同一部分に同一符号を付して説明する。
　この電子辞書は、カバーケース１０４に増設機能としてスピーカ機能を搭載した構造で、これ以外は第１２実施形態とほぼ同じ構造になっている。すなわち、機能増設用の電子部品として、カバーケース１０４内に回路基板１３５および一対のスピーカ１３６を収納した構造になっている。この場合、回路基板１３５は、スピーカ機能に必要な電子回路が搭載され、その所定の電極（図示せず）に接続係合部１１８の配線リード１２５が接続されている。
【０１１９】
　また、一対のスピーカ１３６は、ステレオタイプの平面型のものであり、カバーケース１０４内の回路基板１３５に電気的に接続された状態で、カバーケース１０４の外表面にそれぞれ設けられた一対の放音孔部１３７に対応して設けられている。この場合にも、第２ケース１０２とカバーケース１０４とは、第２ケース１０２に設けられた接続係止部１１７とカバーケース１０４に設けられた接続係合部１１８とからなる接続連結部材１１５によって、第２ケース１０２内に設けられた回路基板１１６とカバーケース１０４内に設けられた回路基板１３５とを電気的に接続した状態で、着脱可能に取り付けられるように構成されている。
【０１２０】
　このような電子辞書においても、第１２実施形態と同様の作用効果があるほか、特に第２ケース１０２に装着されたカバーケース１０４によって増設されたスピーカ機能を使用することができる。すなわち、カバーケース１０４と第２ケース１０２とを取り付ける接続連結部材１１５によって、カバーケース１０４内の回路基板１３５と第２ケース１０２内の回路基板１１６とが電気的に接続されているので、カバーケース１０４に設けられた一対のスピーカ１３６によって音楽や音声をステレオで聞くことができる。このときにも、第２ケース１０２にカバーケース１０４が重なり合って装着されているので、使用時においても携帯時においても、カバーケース１０４が邪魔にならず、良好に使用することができる。
【０１２１】
　上記第１２、第１３実施形態においては、カバーケースに搭載された電子部品が、表示機能、スピーカ機能の場合の例であったが、さらに、カバーケースに搭載された電子部品を、テレビチューナ機能、電源機能、カメラ機能、プリンタ機能、スキャナ機能などの機能を構成する各種の部品のいずれかであるようにしても良い。
これらのいずれかに、一方のケースに装着されるカバーケースを交換することにより、表示機能、テレビチューナ機能、スピーカ機能、電源機能、カメラ機能、プリンタ機能、スキャナ機能などの機能のうち、いずれかの機能を増設することができ、これにより使用者が所望する機能を増設することができるので、使い勝手の良いものを得ることができる。
【図面の簡単な説明】
【０１２２】
【図１】この発明を電子辞書に適用した第１実施形態における使用時の正面図であ　　　　　　　る。
【図２】図１の電子辞書の携帯時における一部破断した側面図である。
【図３】図１の第２ケースのみを示した正面図である。
【図４】図２のカバー部材を示し、（ａ）はそのカバー部材を下側から見た一部破　　　　　　　断した下面図、（ｂ）はそのＡ−Ａ矢視における拡大断面図である。
【図５】図２の要部を拡大した断面図である。
【図６】図４（ａ）のカバー部材を第２ケースに装着するときの状態を示した側面　　　　　　　図である。
【図７】この発明を電子辞書に適用した第２実施形態における携帯時の正面図であ　　　　　　　る。
【図８】図７の電子辞書を側方から見た一部破断した側面図である。
【図９】図７のカバー部材を取り外した状態の第２ケースの正面図である。
【図１０】図９の側面図である。
【図１１】図７のカバー部材を内面側から見た正面図である。
【図１２】第２実施形態の変形例を示した携帯時の正面図である。
【図１３】図１２の電子辞書を側方から見た一部破断した側面図である。
【図１４】図１２のカバー部材を取り外した状態の第２ケースの正面図である。
【図１５】この発明を電子辞書に適用した第３実施形態における携帯時の正面図で　　　　　　　　ある。
【図１６】図１５の電子辞書を側方から見た一部破断した側面図である。
【図１７】この発明を電子辞書に適用した第４実施形態においてカバー部材を第２　　　　　　　　ケースに装着するときの状態を示した側面図である。
【図１８】図１７のＢ−Ｂ矢視における係止部の拡大断面図である。
【図１９】この発明を電子辞書に適用した第５実施形態においてカバー部材を第２　　　　　　　　ケースに装着するときの状態を示した側面図である。
【図２０】図１９のカバー部材の斜視図である。
【図２１】第５実施形態の変形例においてカバー部材を第２ケースに装着するとき　　　　　　　　の状態を示した側面図である。
【図２２】図２１のカバー部材の斜視図である。
【図２３】この発明を電子辞書に適用した第６実施形態においてカバー部材を第２　　　　　　　　ケースに装着するときの状態を示した側面図である。
【図２４】図２３のカバー部材を下側から見た下面図である。
【図２５】図２３の要部を拡大した断面図である。
【図２６】この発明を電子辞書に適用した第７実施形態においてカバー部材を第２　　　　　　　　ケースに装着するときの状態を示した側面図である。
【図２７】図２６のカバー部材を下側から見た下面図である。
【図２８】この発明を電子辞書に適用した第８実施形態においてカバー部材を第２　　　　　　　　ケースに装着するときの状態を示した側面図である。
【図２９】図２８のカバー部材を下側から見た下面図である。
【図３０】この発明を電子辞書に適用した第９実施形態においてカバー部材を第２　　　　　　　　ケースに装着するときの状態を示した側面図である。
【図３１】図３０のカバー部材を示した斜視図である。
【図３２】図３０のカバー部材を第２ケースに装着して上側から見た場合の正面図　　　　　　　　である。
【図３３】この発明を電子辞書に適用した第１０実施形態においてカバー部材を第　　　　　　　　２ケースに装着するときの状態を示した側面図である。
【図３４】図３３の第２ケースを下側から見た正面図である。
【図３５】図３４のカバー部材を第２ケースに対し回動させて開いた状態を示した　　　　　　　　斜視図である。
【図３６】この発明を携帯電話機に適用した第１１実施形態における使用時の正面　　　　　　　　図である。
【図３７】図３６の携帯電話機の携帯時における一部破断した側面図である。
【図３８】図３７のカバー部材を取り外した第２ケースの正面図である。
【図３９】図３７のカバー部材を下側から見た下面図である。
【図４０】この発明を電子辞書に適用した第１２実施形態における使用時の正面図　　　　　　　　である。
【図４１】図４０の電子辞書の携帯時における一部破断した側面図である。
【図４２】図４０の第２ケースのみを示した正面図である。
【図４３】図４１のカバーケースを上側から見た正面図である。
【図４４】図４３のＣ−Ｃ矢視における要部の拡大断面図である。
【図４５】図４３のＤ−Ｄ矢視における要部の拡大断面図である。
【図４６】図４２の第２ケースにカバーケースを装着するときの状態を示した側面　　　　　　　　図である。
【図４７】この発明を電子辞書に適用した第１３実施形態においてカバーケースを　　　　　　　　第２ケースに装着してカバーケース側から見た正面図である。
【図４８】図４７のＥ−Ｅ矢視における要部の拡大断面図である。
【符号の説明】
【０１２３】
　１、６０、１０１　第１ケース
　２、６１、１０２　第２ケース
　２ａ、１０２ａ　第２ケースの平面
　２ｂ、２ｃ、１０２ｂ、１０２ｃ　第２ケースの側面
　３、１０３　ヒンジ部
　４、５０、６０　カバー部材
　４ａ　カバー部材の平面部
　４ｂ、４ｃ　カバー部材の側面部
　１１、１２、２２、５５、５６、１２６　係止突起
　１３、１４、３１、５７、５８　係合部
　２０、３０、３６　係止部
　２３　コイルばね
　３２　アーム部
　３４、３５　係合凸部
　４０　吸盤
　４１　吸着面
　４２　磁石
　４３　磁性材
　４４、４５　面状ファスナ
　５１　装飾シート
　５９　ミラー
　１０４　カバーケース
　１０４ａ　カバーケースの平面部
　１０４ｂ、１０４ｃ　カバーケースの側面部
　１１１、１３５　増設用の回路基板
　１１２　補助表示部
　１１５　接続連結部材
　１１６　第２ケースの回路基板
　１１７　接続係止部
　１１８　接続係合部
　１２７　係合突起
　１３６　スピーカ
　２０１、２０５、２０７　装飾部
　２０２、２０６　開口部
　２０３　マーク部
　２０８　窓部
【図１】
2004139558.tif 000003
【図２】
2004139558.tif 000004
【図３】
2004139558.tif 000005
【図４】
2004139558.tif 000006
【図５】
2004139558.tif 000007
【図６】
2004139558.tif 000008
【図７】
2004139558.tif 000009
【図８】
2004139558.tif 000010
【図９】
2004139558.tif 000011
【図１０】
2004139558.tif 000012
【図１１】
2004139558.tif 000013
【図１２】
2004139558.tif 000014
【図１３】
2004139558.tif 000015
【図１４】
2004139558.tif 000016
【図１５】
2004139558.tif 000017
【図１６】
2004139558.tif 000018
【図１７】
2004139558.tif 000019
【図１８】
2004139558.tif 000020
【図１９】
2004139558.tif 000021
【図２０】
2004139558.tif 000022
【図２１】
2004139558.tif 000023
【図２２】
2004139558.tif 000024
【図２３】
2004139558.tif 000025
【図２４】
2004139558.tif 000026
【図２５】
2004139558.tif 000027
【図２６】
2004139558.tif 000028
【図２７】
2004139558.tif 000029
【図２８】
2004139558.tif 000030
【図２９】
2004139558.tif 000031
【図３０】
2004139558.tif 000032
【図３１】
2004139558.tif 000033
【図３２】
2004139558.tif 000034
【図３３】
2004139558.tif 000035
【図３４】
2004139558.tif 000036
【図３５】
2004139558.tif 000037
【図３６】
2004139558.tif 000038
【図３７】
2004139558.tif 000039
【図３８】
2004139558.tif 000040
【図３９】
2004139558.tif 000041
【図４０】
2004139558.tif 000042
【図４１】
2004139558.tif 000043
【図４２】
2004139558.tif 000044
【図４３】
2004139558.tif 000045
【図４４】
2004139558.tif 000046
【図４５】
2004139558.tif 000047
【図４６】
2004139558.tif 000048
【図４７】
2004139558.tif 000049
【図４８】
2004139558.tif 000050